(57)【要約】  【課題】術者の足先およびフットスイッチが滅菌カバーで覆われた不十分な触認環境および不十分な目視環境で発生するフットスイッチの踏み違いおよび、踏み違いで発生する被検者および術者への不必要なＸ線被爆を減少させる構造を提供する。  【解決手段】フットスイッチ箱２０のカバー２１の手前側低床面上に、Ｘ線透視用のフットスイッチ２２ａおよびＸ線撮影用のフットスイッチ２２ｂを設ける。フットスイッチ２２ａは踏み込みにより右側面２４側から見て支軸２３ａを中心として反時計方向に、またフットスイッチ２２ｂは支軸２３ｂを中心として時計方向に押し下げられるように各支軸を配設し、フットスイッチ２２ａを術者の踵方向で、フットスイッチ２２ｂを足指先方向で踏み込む構造として、触感を差別化する。【選択図】          図１
0003132178.tif 000002
【実用新案登録請求の範囲】
【請求項１】
足踏み操作で支軸を中心に揺動させてスイッチ操作を行うフットスイッチを複数個並設し、各フットスイッチのスイッチ操作でＸ線透視撮影を行うＸ線透視撮影装置において、少なくとも２つのフットスイッチの支軸をそれぞれ異なる位置に設定したことを特徴とするＸ線透視撮影装置。
【請求項２】
Ｘ線撮影用の前記フットスイッチの前記支軸を、術者から見て手前側に設けたことを特徴とする請求項１記載のＸ線透視撮影装置。
【考案の詳細な説明】
【技術分野】
【０００１】
本考案は被検者のＸ線透視およびＸ線撮影により医用診断を行うためのＸ線透視撮影装置に関する。
【背景技術】
【０００２】
Ｘ線透視撮影装置（以下、単に「撮影装置」と称す）においては、一般に被検者の検査部位のＸ線透視像を視認する構造を備え、視認を行いつつ必要な時点でＸ線撮影が行われる。装置には透視・撮影などのＯＮ／ＯＦＦ操作を行うためのフットスイッチボックスが設けられており、フットスイッチボックスには複数の足踏み式のフットスイッチが設けられている。フットスイッチを設けることによって、術者は腕および掌など上半身側で行われる装置操作およびモニタ確認などの自由度を確保しつつ、同時に透視・撮影などのＯＮ／ＯＦＦ操作を行うことが可能になる。たとえば撮影装置の一つである血管造影用の診断装置ではフットスイッチを備えることにより、カテーテル操作などを行いながら透視や撮影を行うことができる。
【０００３】
上記のフットスイッチには種々の形状のもの、すなわちペダル型や押ボタン型のスイッチが並設または前後に段をつけて配設されているものや、シーソー型のペダルスイッチとしたものなどがある。たとえば特許文献１には、内視鏡システム装置に使用されている従来のフットスイッチの一例が記載されている。
【０００４】
以下、図３および図４によって従来の撮影装置の基本的な構成と作動を説明する。図３において、放射線を透過する材料で作製された天板１は基台２上を長手方向に滑動する。最初天板１はＣアーム５から離れた位置にあり、天板１上に人体等の被検者（図示せず）が載置される。被検者を載置後、天板１をＣアーム５方向に移動させ被撮影部位をＸ線管３とＸ線検出器４の中間に置き、Ｘ線管３から放射されたＸ線をＸ線検出器４で検出する。
【０００５】
Ｘ線検出器４としてはたとえばイメージインテンシファイアやフラットパネル型検出器などが使用される。Ｃアーム５はアーム軸７を介設してアーム台６によって支持されている。Ｃアーム５は傾斜撮影を行うためアーム軸７を中心として揺動可能な構造になっており、適切な方向・角度からのＸ線透視撮影が可能である。
【０００６】
図４は検査時の主要機器等を示した側面図である。図４において図３と同じ符号の部品の構造および作動は図３と同一である。天板１上には被検者８が載置される。術者９は被検者８の側面に立ち、Ｘ線画像や各要素の作動状況などが表示されるモニタ１０を監視しながら手許スイッチ（図示せず）による手動操作を行い、被検者８の検査部位をＸ線管３とＸ線検出器４の中間に移動する。更に術者９はフットスイッチ箱１１内の適切なフットスイッチ（図示せず）を踏むことによって、透視・撮影のＯＮ／ＯＦＦ操作を行う。検査室には撮影装置の各機器の作動を制御するための検査室制御盤１２が配設されており、フットスイッチ箱１１はケーブルを経由して検査室制御盤１２に接続されている。
【０００７】
この際、術者９は常にモニタ１０を監視しており、原則としてフットスイッチ箱１１を見ることはない。図５はフットスイッチ箱１１の構造の一例である。カバー１３内外には２個のフットスイッチ１４が配設されている。フットスイッチ１４はカバー１３内に支軸を有しており、足踏みによってフットスイッチ１４の手前側が下方に回転し、機器操作のための適切な信号が出力される。フットスイッチ１４はたとえば左から、Ｘ線透視開始、Ｘ線撮影開始に使用される。図５においては、現在どのフットスイッチを踏み込んでいるかを足先部分の触覚によって判別することを意図して、各フットスイッチ１４は仕切板１５で仕切られている。
【０００８】
【特許文献１】特開２００１−１２０４９２号公報
【考案の開示】
【考案が解決しようとする課題】
【０００９】
従来の撮影装置の構造は以上のとおりであるが、この構造ではフットスイッチの踏み違いによる誤作動の防止が十分でない。すなわち、各フットスイッチ間には図５に示されるように仕切板１５が設けられているとは言うものの、Ｘ線透視撮影検査が行われる際はフットスイッチは滅菌カバーで覆われ、術者の足先部分も検査用の靴の上から更に滅菌カバーで覆われることが通常であり、このような触認の難しい状態でたとえばカテーテル操作などと並行して目的のフットスイッチの選択作業を行っていると、触認が不十分になり誤ったフットスイッチを踏み込む事例が発生し、被検者に不必要なＸ線誤照射が発生する原因になる。またこれを避けるため操作途上で度々術者がフットスイッチ箱方向を目視すると、カテーテル操作などの作業ひいては工程が阻害され、診断の信頼性にも影響を与える。
【００１０】
またフットスイッチに替えて形状が相互に異なった押ボタン形状のスイッチを採用している場合なども、上記の滅菌カバー使用の環境で目視せずにスイッチ相互を確実に判別することは難しく、同様の誤操作が発生する。これらの誤操作は、誤認の再確認、再操作などによる検査工程の遅延を発生させ、また誤照射などによる被検者や術者に対するＸ線被爆量増大の危険性を増大させる。本考案はこのような問題点を解決する手段を提供することを目的とする。
【課題を解決するための手段】
【００１１】
本考案が提供する撮影装置は、足踏み操作で支軸を中心に揺動させてスイッチ操作を行うフットスイッチを複数個並設し、各フットスイッチのスイッチ操作でＸ線透視撮影を行う撮影装置において、少なくとも２つのフットスイッチの支軸をそれぞれ異なる位置に設定する。またＸ線撮影用のフットスイッチの支軸を術者から見て手前側に設ける。
【考案の効果】
【００１２】
本考案によれば、各フットスイッチ毎に支軸の位置が異なるので、たとえばＸ線透視用フットスイッチとＸ線撮影用フットスイッチでは踏み込み時の術者脚部の置き方および触感がそれぞれ異なる。したがって触感の差別化が可能となり、踏み間違いを防止することができる。また、Ｘ線撮影用のフットスイッチの支軸を手前側に配設し、比較的踏み込み難い形態とすることで、当該フットスイッチの手前側を踏んだ場合および奥側を浅く踏んだ場合にはＸ線が照射されず、被検者への不要なＸ線照射を防ぐことができる。
【考案を実施するための最良の形態】
【００１３】
本考案が提供する撮影装置はつぎのような特徴を有している。第１の特徴は足踏み操作で支軸を中心に揺動させてスイッチ操作を行うフットスイッチを複数個並設し、各フットスイッチのスイッチ操作でＸ線透視撮影を行う撮影装置において、少なくとも２つのフットスイッチの支軸をそれぞれ異なる位置に設定した点である。また第２の特徴はＸ線撮影用のフットスイッチの支軸を術者から見て手前側に設けた点であり、これらの特徴を備えた形態が最良の形態である。
【００１４】
以下図示例にしたがって説明する。図１は本考案の実施例の斜視図である。フットスイッチ箱２０のカバー２１の手前側低床面上には、Ｘ線透視用のフットスイッチ２２ａおよびＸ線撮影用のフットスイッチ２２ｂが設けられている。フットスイッチ２２ａは足踏みにより、右側面２４側から見て支軸２３ａを中心として反時計方向に、またフットスイッチ２２ｂは支軸２３ｂを中心として時計方向に押し下げられるように、各支軸の位置が定められている。
【００１５】
図２は足踏み時の術者脚部２５と各フットスイッチの位置関係の例を示している。図２（Ａ）は術者９（図４参照）がＸ線透視を行うために、正常にＸ線透視用のフットスイッチ２２ａを踏み下げようとする場合の術者脚部２５とフットスイッチ２２ａの位置関係を示している。この場合は支軸２３ａは右側にあり、支障無く正常な踏み下げが可能である。この踏み下げにより、Ｘ線透視が行われる。
【００１６】
図２（Ｂ）は術者９がＸ線透視を行おうとして、誤ってＸ線撮影用のフットスイッチ２２ｂに足を置いたときの術者脚部２５とフットスイッチ２２ｂの位置関係を示している。支軸２３ｂはフットスイッチ２２ｂの左側、すなわち術者脚部２５の踵下部方向にあるので踏み下げには抵抗感が発生し、誤った操作であることが術者９に伝達される。したがってＸ線透視を意図した場合に誤ってＸ線撮影用のＸ線が放射されることが防止される。
【００１７】
図２（Ｃ）は術者９が正常にＸ線撮影用のフットスイッチ２２ｂを踏み下げようとする場合の術者脚部２５とフットスイッチ２２ｂの位置関係を示している。支軸２３ｂは左側にあるので、術者９は支障無く足指部分によって踏み下げを行うことが可能である。この踏み下げにより、正常にＸ線撮影が行われる。
【００１８】
図２（Ｄ）は術者９がＸ線撮影を行おうとして、誤ってＸ線透視用のフットスイッチ２２ａに足を置いたときの術者脚部２５とフットスイッチ２２ａの位置関係を示している。支軸２３ａはフットスイッチ２２ａの左側、すなわち術者脚部２５の足指部分の直下方向にあるので踏み下げは困難となり、Ｘ線撮影を意図して誤ってＸ線透視を行う誤操作は防止される。
【００１９】
本考案は上記の実施例に限定されるものではなく、更に種々の変形実施例を挙げることができる。たとえば必要な機能数に応じて、２個以上のフットスイッチについてそれぞれの支軸を別位置に定め、３個以上のフットスイッチを配設しても良い。各フットスイッチ間には触感を向上させるための仕切板を挿入しても良い。また各フットスイッチの踏み込み力に変化を持たせ、たとえばＸ線撮影用フットスイッチには、より大きな踏み込み力を要するようにして触感差を一層向上させ、誤った踏み込みによるＸ線被爆を一層減少させる構造も考えられる。各フットスイッチの配置は横方向に限定されることはなく、前後にたとえば段差を設けて配設しても良い。また図４ではフットスイッチ箱１１はケーブルを経由して検査室制御盤１２に接続されているが、本考案のフットスイッチ箱２０と装置との電気的接続は電波または赤外線等によるワイヤレス方式でも良い。本考案はこれらをすべて包含する。
【産業上の利用可能性】
【００２０】
本考案は被検者のＸ線透視およびＸ線撮影により医用診断を行うためのＸ線透視撮影装置に適用することができる。
【図面の簡単な説明】
【００２１】
【図１】本考案の実施例の構造の一例を示す斜視図である。
【図２】本考案の実施例の作動を示す図である。
【図３】Ｘ線透視撮影装置の主要部分の構造を示す図である。
【図４】Ｘ線透視撮影装置の透視または撮影時の主要要素の配置を示す図である。
【図５】従来のフットスイッチ箱の構造の一例を示す図である。
【符号の説明】
【００２２】
１  天板
２  基台
３  Ｘ線管
４  Ｘ線検出器
５  Ｃアーム
６  アーム台
７  アーム軸
８  被検者
９  術者
１０  モニタ
１１  フットスイッチ箱
１２  検査室制御盤
１３  カバー
１４  フットスイッチ
１５  仕切板
２０  フットスイッチ箱
２１  カバー
２２ａ  フットスイッチ
２２ｂ  フットスイッチ
２３ａ  支軸
２３ｂ  支軸
２４  右側面
２５  術者脚部
【図１】
0003132178.tif 000003
【図２】
0003132178.tif 000004
【図３】
0003132178.tif 000005
【図４】
0003132178.tif 000006
【図５】
0003132178.tif 000007